(57)【要約】      （修正有）【課題】定着式軟体噴水玩具の台座の提供。【解決手段】台座は軟体噴水玩具１と密接に結合される結合座２と、ロッド体に固定可能な固定座３を具え、結合座と固定座が回転方式で結合され、結合座に軸方向貫通孔２１が設けられ、内部に沈水自由円球２３が設けられ、倒置されて軸方向貫通孔より軟体噴水玩具に注水でき、注水完了時に、軟体噴水玩具の上下を正しく戻すと、前述の沈水自由円球が内部より軸方向貫通孔の下端口を塞ぎ、別に固定座上部中央に凸円錐が設けられて緊迫方式で外から軸方向貫通孔の下端口を塞ぎ、二重に漏水が防止されている。【選択図】図１
0003112760.tif 000002
【実用新案登録請求の範囲】
【請求項１】
定着式軟体噴水玩具の台座であって、該台座は下部の固定座と上部の結合座を具え、固定座はロッド体への固定に供され、結合座は緊密に軟体噴水玩具下部と結合可能で、結合座及び固定座は分離結合自在である上記定着式軟体噴水玩具の台座において、
結合座の中心に軸方向貫通孔が設けられ、該軸方向貫通孔の下端は漸縮状とされ、上端は柵状カバーで封じられ、内部に沈水自由円球が置かれ、結合座の下端に一体に雌回転接合部が設けられ、固定座の上端に雄回転接合部が設けられ、結合座と固定座の間が雌回転接合部と該雄回転接合部の回転を利用した嵌め合い或いは分離により結合、分離されることを特徴とする、定着式軟体噴水玩具の台座。
【請求項２】
請求項１記載の定着式軟体噴水玩具の台座において、結合座の中心の軸方向貫通孔の内壁に軸方向凹溝が設けられたことを特徴とする、定着式軟体噴水玩具の台座。
【請求項３】
請求項１又は２記載の定着式軟体噴水玩具の台座において、固定座の雄回転接合部の上部中央に凸円錐が設けられ、該凸円錐が結合座と固定座の結合時に、緊迫方式で結合座中心の軸方向貫通孔の下端口を塞ぐことを特徴とする、定着式軟体噴水玩具の台座。
【請求項４】
請求項３記載の定着式軟体噴水玩具の台座において、結合座下端の雌回転接合部の内壁に一体に対称な水平円弧状凸レールが設けられ、別に固定座の雄回転接合部凸円錐の下に、対称な水平円弧片が設けられ、水平円弧片の回転進入端の下端に下係合面が設けられ、結合座と固定座が回転を利用して結合される時、前述の下係合面が水平円弧片を案内して順調に水平円弧状凸レールに沿ってスライドさせることを特徴とする、定着式軟体噴水玩具の台座。
【請求項５】
請求項４記載の定着式軟体噴水玩具の台座において、結合座下端の雌回転接合部の内壁に設けられた水平円弧状凸レールの末端に終端壁が設けられたことを特徴とする、定着式軟体噴水玩具の台座。
【考案の詳細な説明】
【技術分野】
【０００１】
本考案は一種の定着式軟体噴水玩具の台座に係り、特に児童用自転車或いは三輪車に付設された軟体噴水玩具台座に関する。
【背景技術】
【０００２】
児童用自転車或いは三輪車に取り付けられて噴水機能を兼ね備え、自転車に乗る楽しみを倍増し、且つ安全である定着式軟体噴水玩具の台座はこれまでになかった。
【考案の開示】
【考案が解決しようとする課題】
【０００３】
本考案は一種の定着式軟体噴水玩具の台座を提供することを目的とし、それは軟体玩具を児童用自転車或いは三輪車に取り付けられ、噴水機能を兼ね備え、自転車に乗る楽しみを倍増するものとする。
【０００４】
本考案はまた一種の定着式軟体噴水玩具の台座を提供することを目的とし、それは、本考案の使用対象が児童であることから、設計上、容易に注水でき、漏水を防止するほか、結合及び分離後に児童にとっての便利性と安全性が考慮され、取り付けの後、軟体噴水玩具を取り外して注水する時、その他の分離しやすい小部品がないものとされる。
【課題を解決するための手段】
【０００５】
請求項１の考案は、定着式軟体噴水玩具の台座であって、該台座は下部の固定座と上部の結合座を具え、固定座はロッド体への固定に供され、結合座は緊密に軟体噴水玩具下部と結合可能で、結合座及び固定座は分離結合自在である上記定着式軟体噴水玩具の台座において、
結合座の中心に軸方向貫通孔が設けられ、該軸方向貫通孔の下端は漸縮状とされ、上端は柵状カバーで封じられ、内部に沈水自由円球が置かれ、結合座の下端に一体に雌回転接合部が設けられ、固定座の上端に雄回転接合部が設けられ、結合座と固定座の間が雌回転接合部と該雄回転接合部の回転を利用した嵌め合い或いは分離により結合、分離されることを特徴とする、定着式軟体噴水玩具の台座としている。
請求項２の考案は、請求項１記載の定着式軟体噴水玩具の台座において、結合座の中心の軸方向貫通孔の内壁に軸方向凹溝が設けられたことを特徴とする、定着式軟体噴水玩具の台座としている。
請求項３の考案は、請求項１又は２記載の定着式軟体噴水玩具の台座において、固定座の雄回転接合部の上部中央に凸円錐が設けられ、該凸円錐が結合座と固定座の結合時に、緊迫方式で結合座中心の軸方向貫通孔の下端口を塞ぐことを特徴とする、定着式軟体噴水玩具の台座としている。
請求項４の考案は、請求項３記載の定着式軟体噴水玩具の台座において、結合座下端の雌回転接合部の内壁に一体に対称な水平円弧状凸レールが設けられ、別に固定座の雄回転接合部凸円錐の下に、対称な水平円弧片が設けられ、水平円弧片の回転進入端の下端に下係合面が設けられ、結合座と固定座が回転を利用して結合される時、前述の下係合面が水平円弧片を案内して順調に水平円弧状凸レールに沿ってスライドさせることを特徴とする、定着式軟体噴水玩具の台座としている。
請求項５の考案は、請求項４記載の定着式軟体噴水玩具の台座において、結合座下端の雌回転接合部の内壁に設けられた水平円弧状凸レールの末端に終端壁が設けられたことを特徴とする、定着式軟体噴水玩具の台座としている。
【考案の効果】
【０００６】
本考案は一種の定着式軟体噴水玩具の台座を提供し、それは軟体玩具を児童用自転車或いは三輪車に取り付けられ、噴水機能を兼ね備え、自転車に乗る楽しみを倍増する。
【０００７】
本考案の台座は軟体噴水玩具と密接に結合される結合座と、ロッド体に固定可能な固定座を具え、結合座と固定座が回転方式で結合され、結合座に軸方向貫通孔が設けられ、内部に沈水自由円球が設けられ、倒置されて軸方向貫通孔より軟体噴水玩具に注水でき、注水完了時に、軟体噴水玩具の上下を正しく戻すと、前述の沈水自由円球が内部より軸方向貫通孔の下端口を塞ぎ、別に固定座上部中央に凸円錐が設けられて緊迫方式で外から軸方向貫通孔の下端口を塞ぎ、二重に漏水が防止されている。
【考案を実施するための最良の形態】
【０００８】
本考案は下部の固定座と上部の結合座を具え、固定座はロッド体への固定に供され、結合座は緊密に軟体噴水玩具下部と結合可能で、結合座及び固定座は分離結合自在である。
【０００９】
結合座の中心に軸方向貫通孔が設けられ、該軸方向貫通孔の下端は漸縮状とされ、上端は柵状カバーで封じられ、内部に沈水自由円球が置かれ、結合座の下端に一体に雌回転接合部が設けられている。
【００１０】
軟体噴水玩具が取り外されて倒置されると、沈水自由円球は柵状カバーに落ち、軸方向貫通孔より注水可能で、注水完成後に上下が正しく戻されると、沈水自由円球が軸方向貫通孔の下端の漸縮状部に落ち、漏水が防止される。
【００１１】
結合座の中心の軸方向貫通孔の内壁に更に軸方向凹溝が設けられ、この軸方向凹溝を利用して注水速度をアップできる。
【００１２】
固定座の上端に、雄回転接合部が設けられ、結合座及び固定座の間が雌回転接合部と雄回転接合部の回転を利用した嵌め合い或いは分離により結合或いは分離される。
【００１３】
固定座の雄回転接合部の上部中央に凸円錐が設けられ、該凸円錐は結合座と固定座が結合される時、緊迫方式で外から結合座中心の軸方向凹溝の下端口を塞ぎ、軟体噴水玩具の漏水防止補助を行なう。
【実施例１】
【００１４】
図１、２に示されるように、本考案の実施例の軟体噴水玩具１の下部は結合座２に密接に結合され、結合座２の下方は固定座３に螺合される。
【００１５】
結合座２の中心に、軸方向貫通孔２１が設けられ、該軸方向貫通孔２１の下端Ａは漸縮状を呈し（図３も参照されたい）、上端Ｂは柵状カバー２２で封じられ、内部に沈水自由円球２３が置かれている。
【００１６】
結合座２の軸方向貫通孔２１は、その内壁に軸方向凹溝２１１が設けられ（図４、図５参照）、これにより注水速度が増す。
【００１７】
結合座２の下端に、雌回転接合部２４が設けられ、該雌回転接合部２４の構造は、図３も参照されたいが、その内壁に一体に対称な水平円弧状凸レール２４１が設けられ、水平円弧状凸レール２４１の末端に終端壁２４２が設けられている。
【００１８】
固定座３の上端に、雄回転接合部３１が設けられ、該雄回転接合部３１の上部中央に凸円錐３１１が設けられ、該凸円錐３１１の下に対称な水平円弧片３１２が設けられ、該水平円弧片３１２の下端に下係合面３１３が設けられている（図６）。
【００１９】
固定座３の下方の固定弓３２は固定座３をロッド体に固定するのに供される。
【００２０】
結合座２及び固定座３の間は雌回転接合部２４と雄回転接合部３１の回転により結合される。そのうち、下係合面３１３は水平円弧片３１２を案内して順調に水平円弧状凸レール２４１の上側をスライドさせ、並びに終端壁２４２で止め、結合状態を形成する。また凸円錐３１１は緊迫方式で外から軸方向貫通孔２１の下端口を塞ぎ、漏水防止を補助する。
【００２１】
結合座２と固定座３が分離されて取り外し状態とされた軟体噴水玩具１は倒置して軸方向貫通孔２１より注水でき（図３及び図７）、このとき沈水自由円球２３は軸方向貫通孔２１の上端Ｂに落ち、水流にその周囲及び柵状カバー２２を通過させず、注水完成後に上下を正しく戻すと、沈水自由円球２３は軸方向貫通孔２１の下端Ａの漸縮状部に落ち、内から漏水を防止し、軟体噴水玩具１を固定座３に回転により結合させることができる。
【００２２】
本考案の雄回転接合部と雌回転接合部は相互に対応する構造とされ、前述の実施例に限定されるものではない。
【図面の簡単な説明】
【００２３】
【図１】本考案の第１実施例の結合状態の断面図である。
【図２】本考案の第１実施例の立体分解図である。
【図３】本考案の第１実施例の結合座の倒置断面図である。
【図４】本考案の第２実施例の結合座の立体図である。
【図５】本考案の第２実施例の結合状態の断面図である。
【図６】本考案の第１実施例の固定座の側面図である。
【図７】本考案の第１実施例の固定座の倒置断面図である。
【符号の説明】
【００２４】
１  軟体噴水玩具            ３  固定座
２  結合座                  ３１  雄回転接合部
２１  軸方向貫通孔          ３２  固定弓
２２  柵状カバー            ３１１  凸円錐
２３  沈水自由円球          ３１２  水平円弧片
２４  雌回転接合部          ３１３  下係合面
２１１  軸方向凹溝          Ａ  下端      Ｂ  上端
２４１  水平円弧状凸レール  ２４２  終端壁
【図１】
0003112760.tif 000003
【図２】
0003112760.tif 000004
【図３】
0003112760.tif 000005
【図４】
0003112760.tif 000006
【図５】
0003112760.tif 000007
【図６】
0003112760.tif 000008
【図７】
0003112760.tif 000009